(57)【要約】【課題】大量の画像データの中から利用したい画像データを選択して、アルバム（画像）を容易に作成する技術を提供する。【解決手段】印刷装置１００は、画像データを入力する画像入力手段と、印刷対象の画像データと、当該画像データについての付帯情報と、のレイアウトを決定するレイアウト決定手段と、画像データの撮影日時に基づいて、画像入力手段で入力された画像データから、印刷対象の画像データを抽出する画像データ抽出手段と、画像データ抽出手段で抽出された画像データを、レイアウト決定手段で決定されたレイアウトに割り当てる画像割当手段と、レイアウトに割り当てられた画像データについて、最も出現頻度の高い色を判定する画像色彩判定手段と、画像色彩判定手段で判定された色に応じて、前記付帯情報の色を調節する付帯情報調節手段と、を備える。【選択図】図１
2011061408.tif 000002
【特許請求の範囲】
【請求項１】
印刷装置であって、
画像データを入力する画像入力手段と、
画像データの撮影日時に基づいて所定時間帯ごとの撮影枚数を算出し、当該撮影枚数の
多い時間帯に撮影された画像データほど高い重み付けを行う第１の画像絞込手段と、
特定の設定によって撮影された画像データの撮影日時に基づいて、所定時間帯ごとの撮
影枚数を算出し、当該撮影枚数の多い時間帯に撮影された画像データほど高い重み付けを
行う第２の画像絞込手段と、
前記第１の画像絞込手段による重み付けと、前記第２の画像絞込手段による重み付けを
、合成する重み付け合成手段と、
印刷対象の画像データと、当該画像データについての付帯情報と、のレイアウトを決定
するレイアウト決定手段と、
前記画像入力手段で入力された画像データから、重み付けの高い順に画像データを抽出
する画像データ抽出手段と、
前記画像データ抽出手段で抽出された画像データを、前記レイアウト決定手段で決定さ
れたレイアウトに割り当てる画像割当手段と、
前記レイアウトに割り当てられた画像データについて、最も出現頻度の高い色を判定す
る画像色彩判定手段と、
前記画像色彩判定手段で判定された色に応じて、前記付帯情報の色を調節する付帯情報
調節手段と、を備え、
前記画像割当手段は、
重み付けが最高値である画像データを、前記レイアウト決定手段で決定されたレイアウ
トにおける最大の枠に割り当てる、
ことを特徴とする印刷装置。
【請求項２】
請求項１に記載の印刷装置であって、
前記第２の画像絞込手段は、
シーン設定によって撮影された画像データの撮影日時に基づいて、所定時間帯ごとの撮
影枚数を算出し、当該撮影枚数の多い時間帯に撮影された画像データほど高い重み付けを
行う、
ことを特徴とする印刷装置。
【請求項３】
請求項１に記載の印刷装置であって、
前記第２の画像絞込手段は、
マニュアル設定によって撮影された画像データの撮影日時に基づいて所定時間帯ごとの
撮影枚数を算出し、当該撮影枚数の多い時間帯に撮影された画像データほど高い重み付け
を行う、
ことを特徴とする印刷装置。
【請求項４】
請求項１に記載の印刷装置であって、
前記第２の画像絞込手段は、
解像度の高い設定によって撮影された画像データの撮影日時に基づいて所定時間帯ごと
の撮影枚数を算出し、当該撮影枚数の多い時間帯に撮影された画像データほど高い重み付
けを行う、
ことを特徴とする印刷装置。
【請求項５】
請求項１乃至４のいずれか１項に記載の印刷装置であって、
前記付帯情報調節手段は、
前記付帯情報の色を、前記画像色彩判定手段で判定された色と同系色にする、
ことを特徴とする印刷装置。
【請求項６】
請求項１乃至４のいずれか１項に記載の印刷装置であって、
前記付帯情報調節手段は、
前記付帯情報の色を、前記画像色彩判定手段で判定された色の補色にする、
ことを特徴とする印刷装置。
【請求項７】
請求項１乃至６のいずれか１項に記載の印刷装置であって、
前記レイアウト決定手段は、
画像データの撮影枚数に基づいてレイアウトを決定する、
ことを特徴とする印刷装置。
【請求項８】
請求項１乃至６のいずれか１項に記載の印刷装置であって、
前記レイアウト決定手段は、
ユーザの指定に基づいてレイアウトを決定する、
ことを特徴とする印刷装置。
【請求項９】
請求項１乃至８のいずれか１項に記載の印刷装置であって、
前記レイアウト決定手段は、
画像データを割り当てる枠ごとに、割り当てるべき画像データの特徴を予め指定してお
く、
ことを特徴とする印刷装置。
【請求項１０】
画像データのレイアウト調整方法であって、
画像データを入力する画像入力ステップと、
画像データの撮影日時に基づいて所定時間帯ごとの撮影枚数を算出し、当該撮影枚数の
多い時間帯に撮影された画像データほど高い重み付けを行う第１の画像絞込ステップと、
特定の設定によって撮影された画像データの撮影日時に基づいて、所定時間帯ごとの撮
影枚数を算出し、当該撮影枚数の多い時間帯に撮影された画像データほど高い重み付けを
行う第２の画像絞込ステップと、
前記第１の画像絞込ステップでの重み付けと、前記第２の画像絞込ステップでの重み付
けを、合成する重み付け合成ステップと、
印刷対象の画像データと、当該画像データについての付帯情報と、のレイアウトを決定
するレイアウト決定ステップと、
前記画像入力ステップで入力された画像データから、重み付けの高い順に画像データを
抽出する画像データ抽出ステップと、
前記画像データ抽出ステップで抽出された画像データを、前記レイアウト決定ステップ
で決定されたレイアウトに割り当てる画像割当ステップと、
前記レイアウトに割り当てられた画像データについて、最も出現頻度の高い色を判定す
る画像色彩判定ステップと、
前記画像色彩判定ステップで判定された色に応じて、前記付帯情報の色を調節する付帯
情報調節ステップと、を行い、
前記画像割当ステップでは、
重み付けが最高値である画像データを、前記レイアウト決定ステップで決定されたレイ
アウトにおける最大の枠に割り当てる、
ことを特徴とするレイアウト調整方法。
【請求項１１】
コンピューターに、
画像データを入力する画像入力ステップと、
画像データの撮影日時に基づいて所定時間帯ごとの撮影枚数を算出し、当該撮影枚数の
多い時間帯に撮影された画像データほど高い重み付けを行う第１の画像絞込ステップと、
特定の設定によって撮影された画像データの撮影日時に基づいて、所定時間帯ごとの撮
影枚数を算出し、当該撮影枚数の多い時間帯に撮影された画像データほど高い重み付けを
行う第２の画像絞込ステップと、
前記第１の画像絞込ステップでの重み付けと、前記第２の画像絞込ステップでの重み付
けを、合成する重み付け合成ステップと、
印刷対象の画像データと、当該画像データについての付帯情報と、のレイアウトを決定
するレイアウト決定ステップと、
前記画像入力ステップで入力された画像データから、重み付けの高い順に画像データを
抽出する画像データ抽出ステップと、
前記画像データ抽出ステップで抽出された画像データを、前記レイアウト決定ステップ
で決定されたレイアウトに割り当てる画像割当ステップと、
前記レイアウトに割り当てられた画像データについて、最も出現頻度の高い色を判定す
る画像色彩判定ステップと、
前記画像色彩判定ステップで判定された色に応じて、前記付帯情報の色を調節する付帯
情報調節ステップと、を実行させ、
前記画像割当ステップでは、
重み付けが最高値である画像データを、前記レイアウト決定ステップで決定されたレイ
アウトにおける最大の枠に割り当てる、
ことを特徴とするプログラム。
【請求項１２】
コンピューターに、
画像データを入力する画像入力ステップと、
画像データの撮影日時に基づいて所定時間帯ごとの撮影枚数を算出し、当該撮影枚数の
多い時間帯に撮影された画像データほど高い重み付けを行う第１の画像絞込ステップと、
特定の設定によって撮影された画像データの撮影日時に基づいて、所定時間帯ごとの撮
影枚数を算出し、当該撮影枚数の多い時間帯に撮影された画像データほど高い重み付けを
行う第２の画像絞込ステップと、
前記第１の画像絞込ステップでの重み付けと、前記第２の画像絞込ステップでの重み付
けを、合成する重み付け合成ステップと、
印刷対象の画像データと、当該画像データについての付帯情報と、のレイアウトを決定
するレイアウト決定ステップと、
前記画像入力ステップで入力された画像データから、重み付けの高い順に画像データを
抽出する画像データ抽出ステップと、
前記画像データ抽出ステップで抽出された画像データを、前記レイアウト決定ステップ
で決定されたレイアウトに割り当てる画像割当ステップと、
前記レイアウトに割り当てられた画像データについて、最も出現頻度の高い色を判定す
る画像色彩判定ステップと、
前記画像色彩判定ステップで判定された色に応じて、前記付帯情報の色を調節する付帯
情報調節ステップと、を実行させ、
前記画像割当ステップでは、
重み付けが最高値である画像データを、前記レイアウト決定ステップで決定されたレイ
アウトにおける最大の枠に割り当てる、
ためのプログラムを記録したコンピューター読み取り可能な記録媒体。
【請求項１３】
印刷装置であって、
画像データを入力する画像入力手段と、
印刷対象の画像データと、当該画像データについての付帯情報と、のレイアウトを決定
するレイアウト決定手段と、
前記画像データの撮影日時に基づいて、前記画像入力手段で入力された画像データから
、印刷対象の画像データを抽出する画像データ抽出手段と、
前記画像データ抽出手段で抽出された画像データを、前記レイアウト決定手段で決定さ
れたレイアウトに割り当てる画像割当手段と、
レイアウトに割り当てられた前記画像データについて、最も出現頻度の高い色を判定す
る画像色彩判定手段と、
前記画像色彩判定手段で判定された色に応じて、前記付帯情報の色を調節する付帯情報
調節手段と、
を備えることを特徴とする印刷装置。
【発明の詳細な説明】
【技術分野】
【０００１】
本発明は、印刷装置、レイアウト調整方法、プログラム、および、記録媒体に関する。
【背景技術】
【０００２】
印刷装置の中には、ユーザーの操作によって、複数の画像データを自由に配置したり、
タイトルなどの文字列（以下では「付帯情報」とよぶ）を編集したりして、アルバム（画
像）を作成する機能を有するものがある（例えば、特許文献１）。
【０００３】
また、近年、デジタルカメラやＵＳＢメモリーなどの記録容量は増大し、大量に写真な
どの画像データを記録できるようになっている。
【先行技術文献】
【特許文献】
【０００４】
【特許文献１】特開２００５−９４４２４号
【発明の概要】
【発明が解決しようとする課題】
【０００５】
これに伴い、大量の画像データの中からアルバムなどに利用したい画像データを選択す
ることや、画像データのレイアウトを決めることは、容易な作業ではなくなってきている
。また、選択した画像データに適した付帯情報を編集することも容易ではない。
【０００６】
本発明は、大量の画像データの中から利用したい画像データを選択して、アルバム（画
像）を容易に作成する技術を提供することを目的とする。
【課題を解決するための手段】
【０００７】
上記課題を解決するための本願発明は、印刷装置であって、画像データを入力する画像
入力手段と、印刷対象の画像データと、当該画像データについての付帯情報と、のレイア
ウトを決定するレイアウト決定手段と、前記画像データの撮影日時に基づいて、前記画像
入力手段で入力された画像データから、印刷対象の画像データを抽出する画像データ抽出
手段と、前記画像データ抽出手段で抽出された画像データを、前記レイアウト決定手段で
決定されたレイアウトに割り当てる画像割当手段と、レイアウトに割り付けられた前記画
像データについて、最も出現頻度の高い色を判定する画像色彩判定手段と、前記画像色彩
判定手段で判定された色に応じて、前記付帯情報の色を調節する付帯情報調節手段と、を
備える。
【図面の簡単な説明】
【０００８】
【図１】本発明の実施形態に係る印刷装置の概略構成図である。
【図２】印刷装置の機能構成図である。
【図３】印刷装置におけるアルバム作成処理を説明するためのフローチャートである。
【図４】（Ａ）時間帯ごとの撮影枚数を表すヒストグラムの一例を示す図である。（Ｂ）細分化した時間帯ごとの撮影枚数を表すヒストグラムの一例を示す図である。
【図５】画像データをレイアウト枠に割り当てる動作を説明するための図である。
【図６】（Ａ）画像データが割り当てられたレイアウト枠の一例を示す図である。（Ｂ）画像データが割り当てられたレイアウト枠の別例を示す図である。
【発明を実施するための形態】
【０００９】
以下、本発明の実施形態の一例を図面を参照して説明する。
【００１０】
図１は、本発明の実施形態が適用された印刷装置１００の概略構成図を示す。
【００１１】
印刷装置１００は、例えば、プリンタや複写機である。印刷装置１００は、図示するよ
うに、コントローラー１１０と、操作パネル１２０と、印刷エンジン１３０と、インター
フェイス１４０と、を有する。
【００１２】
コントローラー１１０は、印刷装置１００の主要機能を搭載したチップ（ＳｏＣ）など
で構成され、印刷装置１００全体を制御する。例えば、コントローラー１１０は、画像デ
ータの属性情報（例えば、撮影日時）をメモリー５０から取得する。また、コントローラ
ー１１０は、印刷対象の（アルバムに利用する）画像データと、上述した付帯情報と、の
レイアウト（レイアウト枠、レイアウトテンプレート）を決定する。そして、コントロー
ラー１１０は、画像データの撮影日時に基づいて、メモリー５０から、印刷対象の画像デ
ータを抽出する。さらに、コントローラー１１０は、抽出された画像データを、先に決定
しておいたレイアウト（レイアウト枠、レイアウトテンプレート）に割り当てる。そして
、コントローラー１１０は、画像データと付帯情報が割り当てられたレイアウト（レイア
ウト枠、レイアウトテンプレート）に基づいて印刷データを生成し、印刷エンジン１３０
に印刷させることによってアルバム（画像）を作成する。
【００１３】
以上のような処理を実現するために、コントローラー１１０は、図示するように、ＣＰ
Ｕ（Central Processing Unit）１１１と、ＲＡＭ（Random Access Memory）１１２と、
ＲＯＭ（Read Only Memory）１１３と、を備える。なお、コントローラー１１０は、上記
処理を専用に行うように設計されたＡＳＩＣで構成されていてもよい。
【００１４】
ＣＰＵ１１１は、各種プログラムを実行する。また、ＲＡＭ１１２は、メモリーカード
５０から取得した画像データなどを含む各種データおよびプログラム等を一時的に記憶す
る。ＲＯＭ１１３には、印刷装置１００を制御するための各種データ、各種プログラム等
があらかじめ不揮発的に記憶されている。
【００１５】
操作パネル１２０は、液晶ディスプレイ、タッチパネルなどを備え、ユーザーからの指
示を受け付ける。例えば、操作パネル１２０は、印刷する予定のアルバム（イメージ）を
表示し、印刷するか否かを決定する指示をユーザーから受け付ける。また、操作パネル１
２０は、レイアウト枠を選択する指示をユーザーから受け付けることもできる。
【００１６】
印刷エンジン１３０は、コントローラー１１０からの指示（制御信号）に基づいて、コ
ントローラー１１０から出力された印刷データの印刷を行う。
【００１７】
インターフェイス１４０は、ＵＳＢメモリー、デジタルカメラなどの電子機器に内蔵さ
れるメモリー、などの可搬型メモリー（メモリーカード５０）を挿入可能とする機構を有
する。そして、インターフェイス１４０は、コントローラー１１０からの指示に基づいて
、挿入されたメモリーカード５０にアクセスし、メモリーカード５０に格納されている画
像データを読み出す。
【００１８】
図２は、印刷装置１００の機能構成図である。図示するように、印刷装置１００は、操
作受付部２０１と、表示部２０２と、レイアウト部２０３と、印刷処理部２０４と、印刷
実行部２０５と、を有する。
【００１９】
操作受付部２０１は、ユーザーから各種指示を受け付ける。例えば、操作受付部２０１
は、印刷実行の指示、複数のレイアウト枠の中から１つのレイアウト枠を選択する指示、
などを操作パネル１２０を介して受け付け、レイアウト部２０３に通知する。
【００２０】
表示部２０２は、各種画像やメッセージを操作パネル１２０に表示する。例えば、表示
部２０２は、レイアウト部２０３からの指示に基づいて、候補となるレイアウト枠の表示
や、画像データが割り当てられたレイアウト枠（アルバム）の表示などを行う。
【００２１】
レイアウト部２０３は、アルバムを作成するための処理（以下では「アルバム作成処理
」とよぶ）を行う。
【００２２】
具体的には、レイアウト部２０３は、メモリーカード５０に格納されている画像データ
の撮影日時（データ）を取得する。
【００２３】
また、レイアウト部２０３は、画像データの撮影日時に基づき、撮影時間帯ごとの撮影
枚数を表すヒストグラムを生成する。さらに、レイアウト部２０３は、撮影枚数の多い撮
影時間帯に属する画像データほど、高い重み付けを行う。
【００２４】
また、レイアウト部２０３は、画像データに重み付けされている値（以下では、「重み
値Ｗ」ともよぶ）に基づいて、レイアウト枠を決定する。
【００２５】
また、レイアウト部２０３は、重み付けされている値に従って、画像データをメモリー
カード５０から抽出する。ここで、画像データを抽出する枚数は、選択されたレイアウト
枠に応じて定まる。
【００２６】
また、レイアウト部２０３は、画像データとともに印刷する付帯情報の入力を受け付け
、抽出された画像データの色や他の条件に基づいて、付帯情報の色を決定（編集）する。
【００２７】
そして、レイアウト部２０３は、抽出された画像データ、色が決定された付帯情報、を
所定の規則に従ってレイアウト枠に割り付ける。
【００２８】
さらに、レイアウト部２０３は、画像データを割り付けたレイアウト枠を、記憶媒体（
例えば、ＲＡＭ１１２）に格納する。
【００２９】
印刷処理部２０４は、レイアウト部２０３によって生成されたレイアウト枠（アルバム
）を記憶媒体（例えば、ＲＡＭ１１２）から読み出し、印刷エンジン１３０で印刷可能な
印刷データを生成する。そして、印刷処理部２０４は、印刷エンジン１３０を制御するた
めの印刷コマンドと、生成した印刷データと、を印刷エンジン１３０に送信して印刷させ
る。
【００３０】
印刷実行部２０５は、コントローラー１３０から出力された印刷データを印刷する。具
体的には、印刷実行部２０５は、印刷データとともに印刷コマンドを受信すると、受信し
た印刷コマンドに従って印刷エンジン１４０を制御し、印刷処理を実行する。
【００３１】
本実施形態が適用された印刷装置１００は、以上のような構成からなる。ただし、印刷
装置１００の構成はこれに限定されない。例えば、印刷装置１００は、さらにファクシミ
リ機能などを有する複合機であってもよい。
【００３２】
また、上記した各構成要素は、印刷装置１００の構成を理解容易にするために、主な処
理内容に応じて分類したものである。構成要素の分類の仕方や名称によって、本願発明が
制限されることはない。印刷装置１００の構成は、処理内容に応じて、さらに多くの構成
要素に分類することもできる。また、１つの構成要素がさらに多くの処理を実行するよう
に分類することもできる。また、各構成要素の処理は、１つのハードウェアで実行されて
もよいし、複数のハードウェアで実行されてもよい。
【００３３】
次に、上記構成からなる印刷装置１００の特徴的な動作について説明する。図３は、本
実施形態の印刷装置１００が実行するアルバム作成処理を説明するためのフローチャート
である。
【００３４】
印刷装置１００のレイアウト部２０３は、例えば、メモリーカード５０が印刷装置１０
０（インターフェイス１４０）に挿入されたタイミング、或いは、アルバム作成を行うた
めのソフトウェアを起動するタイミングで、本フローを開始する。
【００３５】
本フローを開始すると、レイアウト部２０３は、メモリーカード５０に格納されている
画像データの属性情報（例えば、撮影日時、撮影時の設定情報、解像度）を取得する（ス
テップＳ１０１）。具体的には、レイアウト部２０３は、インターフェイス１４０を介し
てメモリーカード５０にアクセスし、全画像データの属性情報をＲＡＭ１１２に読み出す
。
【００３６】
次に、レイアウト部２０３は、ステップＳ１０１で取得した撮影日時に基づき、撮影時
間帯ごとの撮影枚数を表すヒストグラムを生成する（ステップＳ１０２）。
【００３７】
図４（Ａ）は、レイアウト部２０３が生成するヒストグラムの一例を示す図である。
【００３８】
図示するようなヒストグラムを生成するために、レイアウト部２０３は、撮影時間帯Ｆ
１〜Ｆ６（例えば、２時間単位）ごとの撮影枚数を算出する。具体的には、レイアウト部
２０３は、所定の各撮影時間帯Ａ〜Ｇに属する撮影日時の画像データを検索し、撮影時間
帯Ａ〜Ｇごとに撮影枚数をカウントする。
【００３９】
そして、レイアウト部２０３は、各撮影時間帯に属する画像データに対して、重み付け
を行う。ここで、重み付けを行う方法としては、例えば、画像データごとに、その画像デ
ータが属している撮影時間帯の撮影枚数に比例する値（重み値Ｗ１）を、重み付ける（重
み値Ｗ１＝画像データが属する撮影時間帯の撮影枚数×定数α）。図示する例で説明する
と、撮影時間帯Ｆ、Ｇ、Ａ、Ｂ、Ｄ、Ｃ・Ｅの順（撮影枚数の多い順）に、高い値の重み
付けを行う。
【００４０】
また、レイアウト部２０３は、画像データの枚数が多い場合（例えば、撮影枚数が最高
値である撮影時間帯Ｆに属する画像データが所定枚数以上の場合）には、さらに細分化し
た撮影時間帯Ｆ１〜Ｆ６（例えば、２０分単位）ごとの撮影枚数を算出してもよい。具体
的には、レイアウト部２０３は、所定の各撮影時間帯Ｆ１〜Ｆ６に属する撮影日時の画像
データを検索し、撮影時間帯Ｆ１〜Ｆ６ごとに撮影枚数をカウントする。
【００４１】
図４（Ｂ）は撮影時間帯を細分化した場合のヒストグラムの一例を示す図である。レイ
アウト部２０３は、図４（Ａ）に示すヒストグラムにおいて、撮影枚数が最高値である撮
影時間帯（図示する例ではＦ）をさらに細分化し、細分化した撮影時間帯Ｆ１〜Ｆ６に属
する画像データに対して、さらに重み付けを行う。ここで、重み付けを行う方法としては
、例えば、上記の方法と同様に、画像データごとに、その画像データが属している撮影時
間帯の撮影枚数に比例する値（重み値Ｗ２）を、重み付ける（重み値Ｗ２＝画像データが
属する撮影時間帯の撮影枚数×定数β）。図示する例で説明すると、撮影時間帯Ｆ５、Ｆ
２、Ｆ３・Ｆ６、Ｆ１・Ｆ４の順（撮影枚数の多い順）に、高い値の重み付けを行う。
【００４２】
また、レイアウト部２０３は、ステップＳ１０１で取得した撮影日時に加え、撮影時の
設定情報に基づき、撮影時間帯ごとの撮影枚数を表すヒストグラムを生成してもよい。
【００４３】
その場合、レイアウト部２０３は、例えば、特定の設定により撮影された画像データに
ついて、撮影時間帯Ｆ１〜Ｆ６（例えば、２時間単位）ごとの撮影枚数を算出する。具体
的には、レイアウト部２０３は、シーン設定（例えば、人物、風景、夜景などのシーン別
の設定）で撮影された画像データの中から、所定の各撮影時間帯Ａ〜Ｇに属する撮影日時
の画像データを検索し、撮影時間帯Ａ〜Ｇごとに撮影枚数をカウントする。また、レイア
ウト部２０３は、マニュアル設定で撮影された画像データの中から、所定の各撮影時間帯
Ａ〜Ｇに属する撮影日時の画像データを検索し、撮影時間帯Ａ〜Ｇごとに撮影枚数をカウ
ントするようにしてもよい。
【００４４】
そして、レイアウト部２０３は、各撮影時間帯に属する画像データに対して、重み付け
を行う。ここで、重み付けを行う方法としては、例えば、画像データごとに、その画像デ
ータが属している撮影時間帯の撮影枚数に比例する値（重み値Ｗ３）を、重み付ける（重
み値Ｗ３＝画像データが属する撮影時間帯の撮影枚数×定数α）。
【００４５】
なお、レイアウト部２０３は、撮影日時に基づいて生成したヒストグラムを用いて重み
付けした重み値Ｗ１（或いは重み値Ｗ２）に代えて、撮影時の設定情報に基づいて生成し
たヒストグラムを用いて重み付けした重み値Ｗ３を採用してもよいし、両方の重み付け（
重み値）を合成してもよい。両方の重み付けを合成する場合には、レイアウト部２０３は
、撮影日時に基づいて生成したヒストグラムを用いて重み付けした重み値Ｗ１（或いは重
み値Ｗ２）と、撮影時の設定情報に基づいて生成したヒストグラムを用いて重み付けした
重み値Ｗ３を画像データごとに乗算（Ｗ１×Ｗ３、Ｗ２×Ｗ３）、或いは、加算（Ｗ１＋
Ｗ３、Ｗ２＋Ｗ３）する。
【００４６】
また、レイアウト部２０３は、レイアウト部２０３は、ステップＳ１０１で取得した撮
影日時に加え、解像度に基づき、撮影時間帯ごとの撮影枚数を表すヒストグラムを生成し
てもよい。
【００４７】
その場合、レイアウト部２０３は、例えば、解像度が高い画像データについて、撮影時
間帯Ｆ１〜Ｆ６（例えば、２時間単位）ごとの撮影枚数を算出する。具体的には、レイア
ウト部２０３は、解像度が所定値以上の画像データの中から、所定の各撮影時間帯Ａ〜Ｇ
に属する撮影日時の画像データを検索し、撮影時間帯Ａ〜Ｇごとに撮影枚数をカウントす
る。
【００４８】
そして、レイアウト部２０３は、各撮影時間帯に属する画像データに対して、重み付け
を行う。ここで、重み付けを行う方法としては、例えば、画像データごとに、その画像デ
ータが属している撮影時間帯の撮影枚数に比例する値（重み値Ｗ４）を、重み付ける（重
み値Ｗ４＝画像データが属する撮影時間帯の撮影枚数×定数α）。
【００４９】
なお、レイアウト部２０３は、撮影日時に基づいて生成したヒストグラムを用いて重み
付けした重み値Ｗ１（或いは重み値Ｗ２）や、撮影時の設定情報に基づいて生成したヒス
トグラムを用いて重み付けした重み値Ｗ３に代えて、解像度に基づいて生成したヒストグ
ラムを用いて重み付けした重み値Ｗ４を採用してもよいし、各重み付け（重み値）を組み
合わせて合成してもよい。各重み付けを組み合わせて合成する場合には、例えば、レイア
ウト部２０３は、撮影日時に基づいて生成したヒストグラムを用いて重み付けした重み値
Ｗ１（或いは重み値Ｗ２）と、解像度に基づいて生成したヒストグラムを用いて重み付け
した重み値Ｗ４を画像データごとに乗算（Ｗ１×Ｗ４、Ｗ２×Ｗ４）、或いは、加算（Ｗ
１＋Ｗ４、Ｗ２＋Ｗ４）する。また、レイアウト部２０３は、撮影時の設定情報に基づい
て生成したヒストグラムを用いて重み付けした重み値Ｗ３と、解像度に基づいて生成した
ヒストグラムを用いて重み付けした重み値Ｗ４を画像データごとに乗算（Ｗ３×Ｗ４）、
或いは、加算（Ｗ３＋Ｗ４）してもよい。また、レイアウト部２０３は、撮影日時に基づ
いて生成したヒストグラムを用いて重み付けした重み値Ｗ１（或いは重み値Ｗ２）と、撮
影時の設定情報に基づいて生成したヒストグラムを用いて重み付けした重み値Ｗ３と、解
像度に基づいて生成したヒストグラムを用いて重み付けした重み値Ｗ４を画像データごと
に乗算（Ｗ１×Ｗ３×Ｗ４、Ｗ２×Ｗ３×Ｗ４）、或いは、加算（Ｗ１＋Ｗ３＋Ｗ４、Ｗ
２＋Ｗ３＋Ｗ４）してもよい。
【００５０】
以上の重み付け方法により、レイアウト部２０３は、画像データごとの重み値Ｗ（合成
後の重み値）を得ることができる。例えば、合成後の重み値Ｗは、Ｗ＝Ｗ１、Ｗ＝Ｗ２、
Ｗ＝Ｗ３、Ｗ＝Ｗ４、Ｗ＝Ｗ１×Ｗ３、Ｗ＝Ｗ１×Ｗ４、Ｗ＝Ｗ１＋Ｗ３、Ｗ＝Ｗ１＋Ｗ
４、Ｗ＝Ｗ２×Ｗ３、Ｗ＝Ｗ２×Ｗ４、Ｗ＝Ｗ２＋Ｗ３、Ｗ＝Ｗ２＋Ｗ４、Ｗ＝Ｗ１×Ｗ
３×Ｗ４、Ｗ＝Ｗ２×Ｗ３×Ｗ４、Ｗ＝Ｗ１＋Ｗ３＋Ｗ４、Ｗ＝Ｗ２＋Ｗ３＋Ｗ４などと
なる。なお、重み値の合成方法は、上記のような加算、乗算に限定されず、例えば、平均
値を算出することによって重み値を合成してもよい。
【００５１】
次に、レイアウト部２０３は、レイアウト枠を決定する（ステップＳ１０３）。具体的
には、レイアウト部２０３は、ステップＳ１０２で生成したヒストグラムを用いて、撮影
枚数が最高値である撮影時間帯を特定する。そして、レイアウト部２０３は、特定した撮
影時間帯に属する画像データの撮影枚数（すなわち、最高値）に基づいて、レイアウト枠
を決定する。例えば、レイアウト部２０３は、最高値より少ない枚数（例えば、最高値の
１／２枚）の画像データを割り当てることが可能なレイアウト枠を、所定の記憶媒体（例
えば、ＲＡＭ１１２）から読み出す。
【００５２】
次に、レイアウト部２０３は、ステップＳ１０３で決定されたレイアウト枠に割り当て
る画像データをメモリーカード５０から抽出する（ステップＳ１０４）。具体的には、レ
イアウト部２０３は、ステップＳ１０３で決定されたレイアウト枠に割り当てる画像デー
タの枚数を特定する。そして、レイアウト部２０３は、ステップＳ１０２で重み付けされ
た重み値（合成後の重み値）Ｗに従って、画像データ（特定した枚数分）をメモリーカー
ド５０からＲＡＭ１１２に読み出す。例えば、ステップＳ１０２で重み付けされた重み値
Ｗの高い順、或いは、ステップＳ１０２で重み付けされた重み値Ｗの上位の画像データか
らランダムに読み出す。
【００５３】
その後、レイアウト部２０３は、ステップＳ１０３で決定されたレイアウト枠に、ステ
ップＳ１０４で抽出された画像データを割り当てる（ステップＳ１０５）。例えば、レイ
アウト部２０３は、画像データに重み付けされている重み値（合成後の重み値）Ｗに従っ
て（高い順）、レイアウト枠に画像データを合成する。なお、レイアウト部２０３は、ス
テップＳ１０３で決定されたレイアウト枠に応じて、抽出された画像データのサイズ、或
いは、解像度を変更してもよい。
【００５４】
図５は、画像データをレイアウト枠に割り当てる動作を説明するための図である。
【００５５】
図示する例で説明すると、例えば、ステップＳ１０３で決定されたレイアウト枠に、大
画像１枚、小画像９枚の画像データを割り当て可能であるとすれば、レイアウト部２０３
は、最も重み値Ｗの高い画像データを、大画像として割り当て（最も大きな枠に割り当て
）、重み値Ｗが２番目から１０番目の画像データを、小画像として割り当てる。このとき
、レイアウト部２０３は、レイアウト枠に画像データが収まるように、画像データのサイ
ズ、或いは、解像度を変更してもよい。
【００５６】
また、レイアウト枠ごとに、割り当てるべき画像データの特徴を予め指定しておいても
よい。例えば、あるレイアウト枠については、顔写真とみなせる画像データを、大画像と
して割り当てるように予め指定しておく。この場合、レイアウト部２０３は、ステップＳ
１０５において、顔写真のうち、画像データに重み付けされている重み値Ｗが最も高い画
像データを、大画像として割り当てる。
【００５７】
次に、レイアウト部２０３は、上述した付帯情報（アルバムのタイトルなど）を追加す
る（ステップＳ１０６）。具体的には、レイアウト部２０３は、操作受付部２０１を介し
て、付帯情報の入力を受け付けると、入力された付帯情報の色（例えば、ＲＧＢ）を決定
する。ここで、付帯情報の色を決める方法として、例えば、レイアウト部２０３は、ステ
ップＳ１０５でレイアウト枠に割り当てた画像データについて、最も出現頻度の高い色を
判定する。そして、レイアウト部２０３は、ここで判定した色（或いは同系色）を、付帯
情報の色として決定する。それから、レイアウト部２０３は、決定した色の付帯情報を、
ステップＳ１０３で決定されたレイアウト枠に収まるサイズの画像にして、レイアウト枠
に割り当てる。
【００５８】
そして、レイアウト部２０３は、画像データと付帯情報が割り当てられている状態のレ
イアウト枠（アルバム）を、表示部２０２を介して、操作パネル１２０に表示する（ステ
ップＳ１０７）。
【００５９】
図６（Ａ）は、画像データが割り当てられたレイアウト枠（アルバム）の一例を示す図
である。例えば、ステップＳ１０７において、レイアウト部２０３は、図示するレイアウ
ト枠（アルバム）を操作パネル１２０に表示する。
【００６０】
ここで、レイアウト部２０３は、操作受付部２０１を介して、印刷実行（ＯＫ）の操作
か、印刷非実行の操作を受け付けるまで待機する（ステップＳ１０８）。
【００６１】
ステップＳ１０８において、レイアウト部２０３は、印刷非実行の操作を受け付けた場
合には（ステップＳ１０８；Ｎｏ）、処理をステップＳ１０３に戻す。これにより、レイ
アウト部２０３は、再度、ステップＳ１０３からＳ１０７の処理を実行して、別のレイア
ウト枠（アルバム）をユーザーに提示することができる。
【００６２】
図６（Ｂ）は、画像データが割り当てられたレイアウト枠（アルバム）の別例を示す図
である。例えば、レイアウト部２０３は、再度、ステップＳ１０３からＳ１０７の処理を
実行する場合には、ステップＳ１０７において、図示するレイアウト枠（アルバム）を操
作パネル１２０に表示する。
【００６３】
一方、ステップＳ１０８において、レイアウト部２０３は、印刷実行（ＯＫ）の操作を
受け付けた場合には（ステップＳ１０８；Ｙｅｓ）、レイアウト枠（アルバム）を、ＲＡ
Ｍ１１２に格納し、処理をステップＳ１０９に移行する。
【００６４】
処理がステップＳ１０９に移行すると、印刷処理部２０４は、ステップＳ１０８で印刷
実行の指示がなされたレイアウト枠（アルバム）を印刷する（ステップＳ１０９）。具体
的には、印刷処理部２０４は、レイアウト枠（アルバム）をＲＡＭ１１２から読み出し、
印刷エンジン１３０で印刷可能な印刷データを生成する。そして、印刷処理部２０４は、
印刷エンジン１３０を制御するための印刷コマンドと、生成した印刷データと、を印刷エ
ンジン１３０に送信して印刷させる。
【００６５】
このとき、印刷実行部２０５は、コントローラー１３０から出力された印刷データを印
刷する。これにより、ユーザーが望むアルバムを作成することができる。
【００６６】
印刷が終了すると、レイアウト部２０３は、本フローを終了する。
【００６７】
以上のアルバム作成処理を印刷装置１００で行うことにより、従来と比較して、大量の
画像データの中から配布したい画像データを選択すること、画像データのレイアウトを決
めること、選択した画像データに適した付帯情報を編集すること、を容易に行うことがで
きる。
【００６８】
なお、上記したフローの各処理単位は、印刷装置１００を理解容易にするために、主な
処理内容に応じて分割したものである。処理ステップの分類の仕方やその名称によって、
本願発明が制限されることはない。印刷装置１００が行う処理は、さらに多くの処理ステ
ップに分割することもできる。また、１つの処理ステップが、さらに多くの処理を実行し
てもよい。
【００６９】
また、本発明は、上記の実施形態に限定されず、種々の変形、応用が可能である。
【００７０】
例えば、上記実施形態では、ステップＳ１０３において、レイアウト部２０３は、ユー
ザーからの指示によらず、自動的にレイアウト枠を決定している。しかし、本発明は、こ
れに限定されない。例えば、ステップＳ１０３において、レイアウト部２０３は、レイア
ウト枠の候補を、表示部２０２を介して表示する。そして、ユーザーから１つのレイアウ
ト枠を選択する指示を、操作受付部２０１を介して受け付け、レイアウト枠を決定しても
よい。
【００７１】
また、上記実施形態では、ステップＳ１０６において、レイアウト部２０３は、レイア
ウト枠に割り当てた画像データで最も出現頻度の高い色（或いは同系色）を、付帯情報の
色として決定している。しかし、本発明は、これに限定されない。例えば、ステップＳ１
０６において、レイアウト部２０３は、レイアウト枠に割り当てた画像データで最も出現
頻度の高い色の補色を、付帯情報の色として決定してもよい。また、レイアウト部２０３
は、レイアウト枠に割り当てた画像データのうち、最も特徴的な画像データの色（例えば
、レイアウト枠に大画像として割り当てた画像データで最も出現頻度の高い色）を、付帯
情報の色として決定しもよい。
【００７２】
また、レイアウト枠の背景色について、変更できるようにしてもよい。例えば、レイア
ウト部２０３は、ステップＳ１０６において、レイアウト枠の背景色を、付帯情報と同系
色の色（例：付帯情報が青の場合には、背景色を水色にする）に変更（決定）する。或い
は、レイアウト部２０３は、インクタンク（不図示）のインク残量を色ごとに検出し、イ
ンク残量が最も多い色を、背景色に用いてもよい。
【００７３】
また、レイアウト部２０３は、ステップＳ１０６において決定された付帯情報の色とレ
イアウト枠の背景色に基づいて、付帯情報の色とレイアウト枠の背景色をランダムに生成
し直してもよい。そして、レイアウト部２０３は、生成したレイアウト枠（イメージ）を
、操作パネル１２０に表示し、ユーザーから１つのレイアウト枠を選択する指示を受け付
けて、付帯情報の色とレイアウト枠の背景色を決定してもよい。
【符号の説明】
【００７４】
５０・・・メモリーカード、１００・・・印刷装置、１１０・・・コントローラー、１
１１・・・ＣＰＵ、１１２・・・ＲＡＭ、１１３・・・ＲＯＭ、１２０・・・操作パネル
、１３０・・・印刷エンジン、１４０・・・インターフェイス、２０１・・・操作受付部
、２０２・・・表示部、２０３・・・レイアウト部、２０４・・・印刷処理部、２０５・
・・印刷実行部
【図１】
2011061408.tif 000003
【図２】
2011061408.tif 000004
【図３】
2011061408.tif 000005
【図４】
2011061408.tif 000006
【図５】
2011061408.tif 000007
【図６】
2011061408.tif 000008